(57)【要約】【課題】逆梁工法による屋上部の梁の一方側から他方側へ雨水を良好に流通させることができると共に、その屋上部のコンクリートスラブへの雨水の浸透を確実に防止して屋上部の防水性を長期に渡って良好に保持することができる雨水排水装置を提供する。【解決手段】屋上部１に突出する梁３の下部に排水パイプ５を設け、この排水パイプ５の両端部にルーフドレイン６を設ける。ルーフドレイン６は、ベース部１０と直立部１１とを有する断面ほぼＬ形状の受皿体９を備える。屋上部１の床面２及び梁３の起立側面にはそれぞれ防水層２３，２４を貼り付け、これら防水層２３，２４の縁をベース部１０及び直立部１１の所定の領域の防水層受け部１７，２０にそれぞれ重ね合わせ、この状態で受皿体９の上に防水層押え２６を締結固定し、その締結力で各防水層２３，２４を防水層押え２６を介して各防水層受け部１７，２０に圧着させる。【選択図】    図１
2008169671.tif 000002
【特許請求の範囲】
【請求項１】
コンクリート建屋の屋上部に逆梁工法による梁が突出し、その梁の一方側から他方側への雨水の流通を可能にする雨水排水装置であって、
前記梁の下部にその梁を貫通するように設けられる排水パイプと、この排水パイプの両端部に設けられるルーフドレインとを備え、
前記各ルーフドレインは、前記屋上部の床面に沿って配置されるベース部と、前記梁の起立側面に沿って配置される直立部とを有する断面ほぼＬ形状の受皿体を備え、前記直立部に前記排水パイプの端部が結合されて排水パイプが受皿体の内側に通じ、前記屋上部の床面及び前記梁の起立側面にそれぞれ防水層が貼り付けられ、これら防水層の縁が前記ベース部の所定の領域の防水層受け部及び直立部の所定の領域の防水層受け部にそれぞれ重ね合わされ、この状態で前記受皿体の上に防水層押えが締結固定され、その締結力で前記各防水層が防水層押えを介して前記各防水層受け部に圧着されることを特徴とする雨水排水装置。
【請求項２】
排水パイプが水平に対して所定の勾配で傾斜し、各ルーフドレインの受皿体がそれぞれ断面ほぼＬ字形の金属板からなり、これら受皿体の直立部が前記傾斜する排水パイプの両端部に垂直に取り付けられ、これら受皿体のベース部が屋上部の床面と面一に、直立部が梁の起立側面と面一に配置されることを特徴とする請求項１に記載の雨水排水装置。
【発明の詳細な説明】
【技術分野】
【０００１】
この発明は、コンクリート建屋の屋上部に設置される雨水排水装置に関する。
【背景技術】
【０００２】
コンクリート建屋の屋上部には、雨水排水用のいわゆる横引きタイプのルールドレインが設置される。このルーフドレインは屋上部の床面とその周縁の起立壁面とが交わるコーナー部に据え付けられ、屋上部に降った雨水がそのルーフドレインを通して所定の排水部に排出される。このようなルーフドレインは、例えば特開２００６−１４４３７７公報などに開示されており、断面ほぼＬ形状の受皿体と、この受皿体の背面に一体に形成された排水口部とを有し、受皿体から排水口部を通して雨水が排水される。
【特許文献１】特開２００６−１４４３７７公報
【発明の開示】
【発明が解決しようとする課題】
【０００３】
ところで、近年、コンクリート建屋の建設に当り、室内に対する採光性向上や居住スペースの有効活用を目的として、建屋の梁を住戸の外に出して向きを逆さにする逆梁工法が採用される場合がある。この場合、建屋の屋上部では逆さに向いた梁が屋上面に突出する。
【０００４】
屋上部の床面の全体が平面状であれば、その屋上部に降った雨水は屋上部のコーナー部に設置されたルーフドレインを通して順次屋上部から排出される。しかしながら、逆梁工法の場合、屋上部に梁が突出し、このためその梁が堰となって雨水が屋上部のコーナー部のルーフドレインにまで流通することができなくなり、梁の内側に雨水が滞留してしまうという問題が生じる。
【０００５】
このため、梁の下部に貫通孔を設け、その貫通孔を通して雨水をコーナー部のルーフドレインに導くことが考えられる。通常、屋上部には防水層が貼り付けられ、その防水層により屋上部のコンクリートスラブへの雨水の浸透を防止するようにしているが、梁の下部に単に貫通孔を設けるだけでは、屋上部の防水層とその貫通孔との境の部分から防水層の下側に雨水が浸透し、屋上部の防水性が不十分となってしまう。
【０００６】
この発明はこのような点に着目してなされたもので、その目的とするところは、逆梁工法による梁が屋上部に突出する場合において、その梁の一方側から他方側へ雨水を良好に流通させることができると共に、その屋上部のコンクリートスラブへの雨水の浸透を確実に防止して屋上部の防水性を長期に渡って良好に保持することができる雨水排水装置を提供することにある。
【課題を解決するための手段】
【０００７】
この発明は、コンクリート建屋の屋上部に逆梁工法による梁が突出し、その梁の一方側から他方側への雨水の流通を可能にする雨水排水装置であって、前記梁の下部にその梁を貫通するように設けられる排水パイプと、この排水パイプの両端部に設けられるルーフドレインとを備え、前記各ルーフドレインは、前記屋上部の床面に沿って配置されるベース部と、前記梁の起立側面に沿って配置される直立部とを有する断面ほぼＬ形状の受皿体を備え、前記直立部に前記排水パイプの端部が結合されて排水パイプが受皿体の内側に通じ、前記屋上部の床面及び前記梁の起立側面にそれぞれ防水層が貼り付けられ、これら防水層の縁が前記ベース部の所定の領域の防水層受け部及び直立部の所定の領域の防水層受け部にそれぞれ重ね合わされ、この状態で前記受皿体の上に防水層押えが締結固定され、その締結力で前記各防水層が防水層押えを介して前記各防水層受け部に圧着されることを特徴としている。
【発明の効果】
【０００８】
この発明の雨水排水装置によれば、逆梁工法による屋上部の梁の一方側から他方側へ雨水を良好に流通させることができると共に、その屋上部のコンクリートスラブへの雨水の浸透を確実に防止して屋上部の防水性を長期に渡って良好に保持することができる。
【発明を実施するための最良の形態】
【０００９】
以下、この発明の実施の形態について図面を参照して説明する。
【００１０】
図１にはこの発明の第１の実施形態に係る雨水排水装置の断面図を示してある。この排水装置は逆梁工法で建設されたコンクリート建屋の屋上部１に据え付けられている。屋上部１の床面２には逆梁工法による梁３がその床面２から突出するように起立し、この梁３を境とする図の左側が屋上部１におけるコーナー部のルーフドレイン（図示せず）に通じる排水可能領域Ａで、右側がその梁３で堰き止められた遮断領域Ｂである。
【００１１】
梁３の下部には、前記排水可能領域Ａと遮断領域Ｂとを互いに連通させる鋼管製の排水パイプ５が埋め込まれている。この排水パイプ５には遮断領域Ｂから排水可能領域Ａに向かって下方に傾斜する例えば２％程度の勾配がつけられている。そしてこの排水パイプ５の両端部にそれぞれ鋳物製のルーフドレイン６が取り付けられている。ルーフドレイン６の正面図を図２に示してある。
【００１２】
これらルーフドレイン６は、受皿体９を有し、この受皿体９はベース部１０と直立部１１とからなる断面ほぼＬ形状をなし、その直立部１１に排水口部１２が一体に形成されている。この排水口部１２は直立部１１の背面側に突出する筒体１３を一体に有し、この筒体１３の内周部にねじが１４が形成され、このねじ１４が前記排水パイプ５の端部外周に形成されたねじ１５にねじ込まれ、これにより排水パイプ５にルーフドレイン６の受皿体９が一体的に結合されている。
【００１３】
受皿体９におけるベース部１０は、周縁側部分の一定の領域の防水層受け部１７と、その内側の窪み部１８とからなり、窪み部１８が排水口部１２の下側内周面に連なっている。直立部１１は周縁側部分の一定の領域が防水層受け部２０となっており、この防水層受け部２０の内側の部分に排水口部１２が形成されている。ベース部１０における防水層受け部１７と直立部１１における防水層受け部２０は互いに連続して連なり、その内側に防水層受け部１７，２０に沿って延びる位置決め用の突起２１が一体に形成されている。
【００１４】
排水パイプ５及びその両端部のルーフドレイン６の受皿体９は、屋上部１の構築の際にその構築用型枠（図示せず）に支持され、その型枠内にコンクリートを打設することで屋上部１の梁３の下部に据え付けられる。この際、受皿体９は、防水層受け部１７が屋上部１の床面２と面一となり、直立部１１の防水層受け部２０が梁３の起立側面と面一になるように施工される。
【００１５】
受皿体９の据え付け後には、屋上部１の床面２と梁３の起立側面とにそれぞれ例えばアスファルト防水による防水層２３，２４が貼り付けられる。床面２の上の防水層２３の縁は受皿体９におけるベース部１０の防水層受け部１７の上に重ね合わされ、梁３の側面の防水層２４の縁は直立部１１の防水層受け部２０の上に重ね合わされる。各防水層２３，２４の縁は突起２１に突き合わされて位置決めされ、これにより各防水層２３，２４の縁が受皿体９の適正な領域に重ね合わされ、防水層２３，２４と受皿体９との間の水密性が確保される。特に、床面２の防水層２３と受皿体９との間の水密性はより確実とすることが重要であり、このため防水層２３と防水層受け部１７との重なり代Ｌは１００ｍｍ以上の幅に確保されている。
【００１６】
防水層２３，２４の施工後には、受皿体９の上にＬ形に屈曲する枠形状の防水層押え２６が配置される。この防水層押え２６はボルト２７を介して受皿体９に締結され、その締結力で防水層２３，２４が防水層受け部１７，２０に圧着される。さらに防水層押え２６の上には目皿状のストレーナ２８が配置され、ねじ２９を介して防水層押え２６に締結される。
【００１７】
このような雨水排水装置によれば、梁３で遮断された遮断領域Ｂ内に降った雨水はその遮断領域Ｂ側の一方のルーフドレイン６を通して排水パイプ５内に順次流入すると共に、その排水パイプ５内を流通して他方のルールドレイン６から排水可能領域Ａに流出し、その排水可能領域Ａから屋上部１のコーナー部のルーフドレインを通して所定の排水部に排出され、したがって遮断領域Ｂに雨水が溜まって滞留するようなことがない。
【００１８】
屋上部１の床面２及び梁３の側面に対する防水性は、各ルーフドレイン６の受皿体９と防水層２３，２４とが重なり合って圧着することで確実に保持され、したがって雨水が屋上部１のコンクリートスラブに浸透するようなことがなく、高い防水性を長期に渡って保持することができる。
【００１９】
ところで、この第１の実施形態としての雨水排水装置においては、排水パイプ５の両端部にルーフドレイン６の受皿体９をねじ１４，１５の螺合によるねじ込みによりそれぞれ取り付けている。排水パイプ５は水平に対して僅かな勾配で傾斜しており、このため各受皿体９をねじ込みで取り付ける構造であると、その勾配に応じた角度だけルーフドレイン６が傾いてしまう。すなわち、受皿体６のベース部１０が水平面に対して僅かに傾き、直立部１１が垂直面に対して僅かに傾き、その傾きでベース部１０及び直立部１１と屋上部１の床面２及びを梁３の起立側面との間に僅かであるがずれが生じてしまう。また、鋳物製の受皿体６にあっては、防水層受け部１７の内側に窪み部１８があり、このためその窪み部１８内に僅かであるが水が滞留してしまう。
【００２０】
このような点を考慮したこの発明の第２の実施形態に係る雨水排水装置を図３及び図４に示してある。この第２の実施形態では梁３の下部にステンレス管からなる排水パイプ３２が埋め込まれ、この排水パイプ３２の両端部にステンレス板からなるルーフドレイン３３が設けられている。各ルーフドレイン３３は受皿体３４を有し、これら受皿体３４が排水パイプ３２の両端部に溶接されている。受皿体３４の正面図を図４に示してある。
【００２１】
各受皿体３４はステンレス板によりベース部３５と直立部３６とを有するＬ形状に形成されている。ベース部３５及び直立部３６は共に平板状で、直立部３６の下部に円形の排水口３７が形成され、この排水口３７の周縁に排水パイプ３２の周縁が溶接されている。
【００２２】
排水パイプ３２は、屋上部１の遮断領域Ｂから排水可能領域Ａに向かって下方に例えば２％程度の勾配で傾斜するように梁３の下部に据え付けられているが、この排水パイプ３２の両端の開口端面は、排水パイプ３２の軸方向と直角ではなく、その勾配に応じた角度だけ傾いて垂直に起立する面となっており、この垂直な端面に受皿体３４の直立部３６が溶接により取り付けられている。したがって各受皿体３４の直立部３６は排水パイプ３２の勾配に関わらず垂直に起立して拡がり、ベース部３５は水平に延びて拡がる状態にある。そして、ベース部３５の上面はその周縁から内側に向く一定の領域が防水層受け部３８で、
直立部３６の表面はその周縁から内側に向く一定の領域が防止層受け部３９となっている。
【００２３】
排水パイプ３２及びその両端部の受皿体３４は、屋上部１を構築するための型枠の上に高さ調整可能な支持部材４０を介して支持され、その型枠内にコンクリートを打設することで屋上部１の梁３の下部に据え付けられる。この際、受皿体３４のベース部３５が屋上部１の床面２と面一となり、直立部３６が梁３の起立側面と面一になるように施工される。
【００２４】
受皿体３４の据え付け後には、屋上部１の床面２と梁３の起立側面とにそれぞれ例えばアスファルト防水による防水層２３，２４が貼り付けられる。床面２の上の防水層２３の縁は受皿体３４におけるベース部３５の防水層受け部３８の上に重ね合わされ、梁３の側面の防水層２４の縁は直立部３６の防水層受け部３９の上に重ね合わされる。
【００２５】
防水層２３，２４の施工後には、受皿体３４の上にステンレス製の防水層押え４３が配置される。この防水層押え４３はＬ形に屈曲する枠形状に形成され、ボルト４４を介して受皿体３４に締結され、その締結力で防水層２３，２４が防水層受け部３８，３９に圧着される。さらに防水層押え４３の上には目皿状をなすステンレス製のストレーナ４６が配置され、ねじ４７を介して防水層押え４３に締結される。
【００２６】
このような雨水排水装置によれば、第１の実施形態の場合と同様に、梁３で遮断された遮断領域Ｂ内に降った雨水がその遮断領域Ｂ側の一方のルーフドレイン３３を通して排水パイプ３２内に順次流入すると共に、その排水パイプ３２内を流通して他方のルールドレイン３３から排水可能領域Ａに流出し、その排水可能領域Ａから所定の排水部に排出され、したがって遮断領域Ｂに雨水が溜まって滞留するようなことがない。
【００２７】
屋上部１の床面２及び梁３の側面に対する防水性は、各ルーフドレイン３３の受皿体３４と防水層２３，２４とが重なり合って圧着することで確実に保持され、したがって雨水が屋上部１のコンクリートスラブに浸透するようなことがなく、高い防水性を長期に渡って保持することができる。
【００２８】
さらにこの第２の実施形態では、排水パイプ３２の勾配に関わらず、各受皿体３４の直立部３６が垂直で、ベース部３５が水平となるように支持されるため、その直立部３６を梁３の起立側面と面一に的確に位置を合わせ、ベース部３５を床面２と面一に的確に位置を合わせることができる。そして各受皿体３４のベース部３５の全体が平板状であるから、受皿体３４の内側に水が溜まるようなこともない。
【００２９】
また、排水パイプ３２と各ルーフドレイン３３の受皿体３４とが溶接されており、このためその排水パイプ３２と受皿体３４との間での水密性も高めることができる。そして、排水パイプ３２がステンレス管で、ルーフドレイン３３の受皿体３４、防水層押え４３、ストレーナ４６がステンレス板であるため、雨水排水装置の全体の重量が軽量で、施工時の際の取り扱いが容易となり、作業能率が向上する。
【００３０】
なお、前記第２の実施形態では、排水パイプ３２，ルーフドレイン３３の受皿体３４、防水層押え４３及びストレーナ４６のすべての部材をステンレス製としたが、そのすべての部材あるいは一部の部材を他の耐食性に優れる金属材料とすることも可能である。
【図面の簡単な説明】
【００３１】
【図１】この発明の第１の実施形態に係る雨水排水装置を示す断面図。
【図２】その雨水排水装置のルーフドレインを示す正面図。
【図３】この発明の第２の実施形態に係る雨水排水装置を示す断面図。
【図４】その雨水排水装置のルーフドレインの受皿体を示す正面図。
【符号の説明】
【００３２】
１…屋上部
２…床面
３…梁
５…排水パイプ
６…ルーフドレイン
９…受皿体
１０…ベース部
１１…直立部
１２…排水口部
１３…筒体
１８…窪み部
２１…突起
２３．２４…防水層
２６…防水層押え
２８…ストレーナ
３２…排水パイプ
３３…ルーフドレイン
３４…受皿体
３５…ベース部
３６…直立部
３７…排水口
４３…防水層押え
４６…ストレーナ
【図１】
2008169671.tif 000003
【図２】
2008169671.tif 000004
【図３】
2008169671.tif 000005
【図４】
2008169671.tif 000006